(57)【要約】      （修正有）【課題】建設資材をストックする際の収納性が高く、基礎工事が不要で、人力での組み立て及び解体が可能で、自立性及び耐風性が高い仮設住宅を提供する。【解決手段】仮設住宅Ｈは、上部の５個の正三角形で形成された正五角錐を屋根部Ｒとし、中央部の１０個の正三角形で形成された筒状体を壁部Ｗとし、下部の正五角形柱状体を床部Ｆとする、ドーム状の正二十面体の建築物である。床部Ｆは、５個の二等辺三角柱状体３を組み合わせて形成されていると共に、二等辺三角柱状体３の３個の嵩上壁部のうちの底辺に位置する嵩上壁部と他の２個の嵩上壁部とが留め具９（嵩上壁部連結具）によってそれぞれ連結されている。屋根部Ｒ及び壁部Ｗを構成する板部材１、２及び床部Ｆを構成する二等辺三角柱状体３は、上部連結具４及び下部連結具５により居住空間Ｓの頂点において互いに連結される。【選択図】図１
2012224992.tif 000002
【特許請求の範囲】
【請求項１】
同一寸法の二等辺三角形の面で構成される二十面体の上部の５個の該二等辺三角形で形成された正五角錐を屋根部とし、該二十面体の中央部の１０個の該二等辺三角形で形成された筒状体を壁部とし、該二十面体の下部の正五角錐を正五角形柱状体に置き換えて床部とし、居住空間が該屋根部と該壁部と該床部とにより囲まれた仮設住宅であって、
前記床部は、頂角７２°の二等辺三角形状を呈する床面部と該床面部の三辺のそれぞれから鉛直下方に延びる３個の嵩上壁部とを有し底辺の長さが前記二十面体を構成する前記二等辺三角形の底辺の長さと等しい５個の二等辺三角柱状体を、該二等辺三角柱状体の該底辺が各辺をなすように組み合わせて前記正五角形柱状体に形成され、
床板部材の折り曲げ加工により形成された前記二等辺三角柱状体が展開しないように前記二等辺三角柱状体の３個の前記嵩上壁部のうちの該二等辺三角柱状体の前記底辺に位置する嵩上壁部と他の２個の嵩上壁部とは、嵩上壁部連結具によってそれぞれ連結され、
前記屋根部及び前記壁部により形成された前記二十面体の上側６箇所の頂点のそれぞれに配置され該頂点を構成する前記二等辺三角形の５個の板部材の頂角部及び底角部を互いに連結する６個の上部連結具と、
前記筒状体及び前記床面部により形成された５箇所の頂点のそれぞれに配置され該頂点を構成する前記二等辺三角形の３個の板部材の頂角部、底角部及び２個の前記二等辺三角柱状体の底角部を互いに連結する５個の下部連結具と、
を備えていることを特徴とする仮設住宅。
【請求項２】
前記二十面体を構成する前記二等辺三角形が正三角形であると共に該二十面体が正二十面体である請求項１に記載の仮設住宅。
【請求項３】
前記二等辺三角柱状体の３個の前記嵩上壁部のうちの該二等辺三角柱状体の等辺に位置する２個の嵩上壁部は、該嵩上壁部が該二等辺三角柱状体の前記底辺側に延伸された重ね部を有し、該重ね部を該底辺に位置する嵩上壁部と重なるように折り曲げて前記嵩上壁部連結具によってそれぞれ連結する請求項１又は２に記載の仮設住宅。
【請求項４】
前記床部を構成する隣り合う前記二等辺三角柱状体同士を少なくとも該二等辺三角柱状体の前記等辺の長さ方向の中間部において互いに連結する二等辺三角柱状体連結具を備えている請求項１〜３のうちのいずれか一つに記載の仮設住宅。
【請求項５】
前記上部連結具及び／又は前記下部連結具の頂点に外側及び内側の少なくとも一方に突出する被締結部を備えている請求項１〜４のうちのいずれか一つに記載の仮設住宅。
【請求項６】
前記屋根部を構成する前記二等辺三角形の板部材のうちの少なくとも１個が前記壁部を構成する該二等辺三角形の板部材と相似でかつ辺が長い二等辺三角形を呈し、該辺が長い二等辺三角形の板部材が該壁部の外側方向に張り出して軒を形成している請求項１〜５のうちのいずれか一つに記載の仮設住宅。
【請求項７】
前記屋根部が５個の前記辺が長い二等辺三角形の板部材で構成され、該屋根部が前記上部連結具により下方から支持されている請求項６に記載の仮設住宅。
【請求項８】
前記板部材及び前記床板部材のうちの少なくとも該床板部材が多孔性の芯材の両面に薄板を貼り合わせた熱可塑性樹脂製の板部材である請求項１〜７のうちのいずれか一つに記載の仮設住宅。
【発明の詳細な説明】
【技術分野】
【０００１】
本発明は、特に台風や地震等の自然災害が発生した被災地において、避難した住民が一時的に入居し、避難生活を送ることが可能な仮設住宅に関するものである。
【背景技術】
【０００２】
従来から、台風、地震、火山の噴火、及び豪雪等の種々の自然現象によって、家屋の倒壊や生命に対する危険性が強くなった地域に対し、避難命令や避難勧告が当該地域の国または自治体によって発せられることがある。このような場合、避難住民は、小中学校の体育館や公民館等の、当該地域では比較的安全で、かつ多人数を一度に収容できる公共施設に避難し、一時的な集団生活（避難生活）を送ることがある。
【０００３】
係る集団生活は、当該地域の乳幼児から高齢者に至る幅広い年齢層の人々を対象とするものであり、個人のプライバシーの確保とは程遠い実情があり、精神的・肉体的なストレスが蓄積しやすい環境になる場合もあった。そのため、これらの集団生活は、自然災害の発生直後のごく短期の期間に限る必要があり、避難生活が長期にわたる場合には個々のプライバシーの確保が重要な問題となることがあった。
【０００４】
そこで、仮設住宅（プレハブ住宅）の建設が、各自治体等の行政の主導の下に行われることがある。この仮設住宅は、基本的に世帯毎に提供されるため、上述したストレスを大幅に低減することができる。これにより、避難住民は、長期にわたる避難生活を安定して送ることができるようになる。
【０００５】
しかしながら、各自治体等は、これらの自然災害に備えた仮設住宅用資材を十分にストックしているわけではなく、また、被災地までの仮設住宅用資材の搬送や、仮設住宅建設用の重機やオペレータを手配することも容易ではない。このため、避難住民が多人数にのぼる場合には、全避難住民に仮設住宅が提供されるまでに長期を要し、多くの避難住民が、長期にわたる体育館等での集団生活を課せられるのが実情であった。
【０００６】
そこで、自治体等によって災害発生前にストックすることが比較的容易であり、また組み立て、解体の際に重機やオペレータを必要とすることがなく、例えば、災害地域に集まった災害ボランティア等の一般の人々などの手によって（人力によって）簡易に組み立てることが可能であり、かつ使用後には再利用することが可能なリサイクル性の高い建設資材を用いた仮設住宅を期待する声が多かった。
【０００７】
特許文献１には、このような自治体等の要望に叶う仮設住宅が開示されている。図１３に特許文献１に記載の従来の仮設住宅の外観斜視図を示す。仮設住宅５０は、八角形の基礎部５１の上に敷設された段ボール製の床部５２と、基礎部５１の各辺から垂設された長方形状を呈する８枚の壁パネルにより構築された段ボール製の壁部５３と、壁部５３によって八面ドーム状に支持され略二等辺三角形状を呈する８枚の屋根パネルにより構築された段ボール製の屋根部５４と、屋根部５４を被覆するように張設された屋根シート５５とを備えている。
【先行技術文献】
【特許文献】
【０００８】
【特許文献１】特開２００７−３０８９５５号公報
【発明の概要】
【発明が解決しようとする課題】
【０００９】
上述した仮設住宅５０は、長方形状を呈する壁パネル、略二等辺三角形状を呈する屋根パネルのように大きさや形状の異なる数種類の板部材を主たる建設資材として用いている。したがって、これらの板部材の大きさや形状を極力等しくすることができれば、建設資材をストックする際の収納性が向上すると共に、板部材同士の互換性が向上する。
【００１０】
また、上述した仮設住宅５０は、基礎部５１の各辺から垂設された八角形の壁部５３を有している。このため、壁部５３に当たる風圧等に対して、八角形の壁部５３の形状を保持するためには、コンクリート等による強固な基礎５１に壁部５３の下部を固定する必要がある。
【００１１】
本発明は、上記実情に鑑みてなされたものであり、建設資材をストックする際の収納性が高く、基礎工事が不要あると共に、人力での組み立て及び解体が可能であり、自立性及び耐風性が高い仮設住宅を提供することを目的とする。
【課題を解決するための手段】
【００１２】
上記の課題を解決するため、請求項１に係る仮設住宅の構成上の特徴は、同一寸法の二等辺三角形の面で構成される二十面体の上部の５個の該二等辺三角形で形成された正五角錐を屋根部とし、該二十面体の中央部の１０個の該二等辺三角形で形成された筒状体を壁部とし、該二十面体の下部の正五角錐を正五角形柱状体に置き換えて床部とし、居住空間が該屋根部と該壁部と該床部とにより囲まれた仮設住宅であって、前記床部は、頂角７２°の二等辺三角形状を呈する床面部と該床面部の三辺のそれぞれから鉛直下方に延びる３個の嵩上壁部とを有し底辺の長さが前記二十面体を構成する前記二等辺三角形の底辺の長さと等しい５個の二等辺三角柱状体を、該二等辺三角柱状体の該底辺が各辺をなすように組み合わせて前記正五角形柱状体に形成され、
床板部材の折り曲げ加工により形成された前記二等辺三角柱状体が展開しないように前記二等辺三角柱状体の３個の前記嵩上壁部のうちの該二等辺三角柱状体の前記底辺に位置する嵩上壁部と他の２個の嵩上壁部とは、嵩上壁部連結具によってそれぞれ連結され、前記屋根部及び前記壁部により形成された前記二十面体の上側６箇所の頂点のそれぞれに配置され該頂点を構成する前記二等辺三角形の５個の板部材の頂角部及び底角部を互いに連結する６個の上部連結具と、前記筒状体及び前記床面部により形成された５箇所の頂点のそれぞれに配置され該頂点を構成する前記二等辺三角形の３個の板部材の頂角部、底角部及び２個の前記二等辺三角柱状体の底角部を互いに連結する５個の下部連結具と、を備えていることである。
【００１３】
請求項２に係る発明の構成上の特徴は、請求項１に記載の仮設住宅において、前記二十面体を構成する前記二等辺三角形が正三角形であると共に該二十面体が正二十面体であることである。
【００１４】
請求項３に係る発明の構成上の特徴は、請求項１又は２に記載の仮設住宅において、前記二等辺三角柱状体の３個の前記嵩上壁部のうちの該二等辺三角柱状体の等辺に位置する２個の嵩上壁部は、該嵩上壁部が該二等辺三角柱状体の前記底辺側に延伸された重ね部を有し、該重ね部を前記底辺に位置する嵩上壁部と重なるように折り曲げて前記嵩上壁部連結具によってそれぞれ連結することである。
【００１５】
請求項４に係る発明の構成上の特徴は、請求項１〜３のうちのいずれか一つに記載の仮設住宅において、前記床部を構成する隣り合う前記二等辺三角柱状体同士を少なくとも該二等辺三角柱状体の前記等辺の長さ方向の中間部において互いに連結する二等辺三角柱状体連結具を備えていることである。
【００１６】
請求項５に係る発明の構成上の特徴は、請求項１〜４のうちのいずれか一つに記載の仮設住宅において、前記上部連結具及び／又は前記下部連結具の頂点に外側及び内側の少なくとも一方に突出する被締結部を備えていることである。
【００１７】
請求項６に係る発明の構成上の特徴は、請求項１〜５のうちのいずれか一つに記載の仮設住宅において、前記屋根部を構成する前記二等辺三角形の板部材のうちの少なくとも１個が前記壁部を構成する該二等辺三角形の板部材と相似でかつ辺が長い二等辺三角形を呈し、該辺が長い二等辺三角形の板部材が該壁部の外側方向に張り出して軒を形成していることである。
【００１８】
請求項７に係る発明の構成上の特徴は、請求項６に記載の仮設住宅において、前記屋根部が５個の前記辺が長い二等辺三角形の板部材で構成され、該屋根部が前記上部連結具により下方から支持されていることである。
【００１９】
請求項８に係る発明の構成上の特徴は、請求項１〜７のうちのいずれか一つに記載の仮設住宅において、前記板部材及び前記床板部材のうちの少なくとも該床板部材が多孔性の芯材の両面に薄板を貼り合わせた熱可塑性樹脂製の板部材であることである。
【発明の効果】
【００２０】
請求項１に係る発明によれば、同一寸法の二等辺三角形の面で構成される二十面体の上部の５個の二等辺三角形で形成された正五角錐を屋根部とし、二十面体の中央部の１０個の二等辺三角形で形成された筒状体を壁部とし、二十面体の下部の正五角錐を正五角形柱状体に置き換えて床部とし、居住空間が屋根部と壁部と床部とにより囲まれることにより構成されている。
【００２１】
ここで、上記「二等辺三角形」は、三角形を構成する三辺のうちの少なくとも二辺の長さが等しい図形である。したがって、三角形を構成する三辺の長さが全て等しい「正三角形」も上記「二等辺三角形」に含まれている。なお、二等辺三角形における等辺及び底辺は、正三角形においては単に辺と呼ばれ、二等辺三角形における頂角及び底角は、正三角形においては単に内角と呼ばれている。
【００２２】
このように屋根部及び壁部により同一寸法の二等辺三角形の面で構成される二十面体のうちの十五面がドーム状に構築されていることによって、屋根部及び壁部は、上方及び側方の各方向から作用する風を受け流しやすく、本発明の仮設住宅は、自立性及び耐風性が高い。
【００２３】
また、本発明によれば、床部が５個の二等辺三角柱状体を組み合わせて正五角形柱状体に形成されていると共に、床板部材の折り曲げ加工により形成された二等辺三角柱状体が展開しないように二等辺三角柱状体の３個の嵩上壁部のうちの二等辺三角柱状体の底辺に位置する嵩上壁部と他の２個の嵩上壁部とが嵩上壁部連結具によってそれぞれ連結されている。
【００２４】
三角形の箱状体は、四角形や五角形等の箱状体に比べて、外力の作用に対して変形しにくいことは周知である。したがって、嵩上壁部連結具によって形状が保持された二等辺三角柱状体を組み合わせることにより形成された正五角形柱状を呈する床部は、居住者による荷重や壁部から伝わる荷重に対して変形しにくい。
【００２５】
このように、本発明の仮設住宅は、屋根部、壁部及び床部の全てが三角形の部材を組み合わせることにより一体的に構築されているため、屋根部、壁部及び床部を含めた仮設住宅全体としての構造強度（剛性）に優れており、自立性が高いため基礎工事が不要あると共に、建設後の仮設住宅を解体することなく吊り移動することも可能である。
【００２６】
また、本発明によれば、屋根部及び壁部が二等辺三角形の板部材により構成されていると共に、床部を構成する二等辺三角柱状体は、この二等辺三角形の板部材の底辺の長さと等しい底辺の長さを有し、かつ床板部材への展開が可能とされている。
【００２７】
したがって、これらの板部材及び床板部材の大きさ及び形状が極力等しく構成されているため、本発明の仮設住宅は、建設資材をストックする際の収納性に優れている。また、上述した従来の仮設住宅５０と同様に板部材及び床板部材が軽量であるため、人力での組み立て及び解体が可能である。
【００２８】
なお、これらの板部材及び床板部材としては、従来の仮設住宅５０と同様に、段ボールを利用できる他、多数の隔壁によって面方向を区画された芯材の片面又は両面に薄板を貼り合わせた各種板部材（例えば、強化段ボール、樹脂ハニカム板、アルミハニカム板など）を利用することが可能である。
【００２９】
請求項２に係る発明によれば、二十面体を構成する二等辺三角形が正三角形であると共に二十面体が正二十面体である。正二十面体は、二十面体のなかでも最も球体に近い形状であるため、様々な方向から作用する荷重に対して構造強度（剛性）が最も優れている。また、屋根部及び壁部を構成する板部材の形状が正三角形であることにより、板部材を組み付ける際の方向性の自由度が向上する。したがって、本発明の仮設住宅は、請求項１に係る発明の最良の実施の形態となる。
【００３０】
請求項３に係る発明によれば、二等辺三角柱状体の３個の嵩上壁部のうちの二等辺三角柱状体の等辺に位置する２個の嵩上壁部は、この嵩上壁部が二等辺三角柱状体の底辺側に延伸された重ね部を有し、この重ね部を底辺に位置する嵩上壁部と重なるように折り曲げて嵩上壁部連結具によってそれぞれ連結する。このように、嵩上壁部同士を重ねて連結することにより嵩上壁部同士を強固に連結することができる。また、底辺に位置する嵩上壁部の両端付近で嵩上壁部同士が重なると共に嵩上壁部連結具によってそれぞれ連結される。このため、等辺に位置する嵩上壁部には嵩上壁部連結具のような突部がなく、隣り合う二等辺三角柱状体の嵩上壁部同士を密着させることができる。
【００３１】
請求項４に係る発明によれば、床部を構成する隣り合う二等辺三角柱状体同士を少なくとも二等辺三角柱状体の等辺の長さ方向の中間部において互いに連結する二等辺三角柱状体連結具を備えている。請求項１に係る発明においては、５個の下部連結具により隣り合う二等辺三角柱状体の底角部同士が互いに連結されている。しかし、床部の面積が大きい場合には、下部連結具のみによる二等辺三角柱状体同士の連結では床部の形状保持が不十分となる場合がある。そこで、更に二等辺三角柱状体同士を少なくとも二等辺三角柱状体の等辺の長さ方向の中間部において互いに連結することにより、床部の正五角形の平面形状及び床部の平滑性を確実に保持することが可能となる。
【００３２】
請求項５に係る発明によれば、上部連結具及び／又は下部連結具の頂点に外側及び内側の少なくとも一方に突出する被締結部を備えている。この被締結部の形状は、被締結部にロープやワイヤー等を接続する場合にはリング状またはフック状であることが望ましく、被締結部に部品や機器等を固定する場合には雄ネジ（ボルト）または雌ネジ（ナット）であることが望ましい。被締結部を頂点の外側に配置する場合には、仮設住宅を地面に固定する際にこの被締結部に固定ロープを結んだり、建設後の仮設住宅を吊り移動する際にこの被締結部に吊りロープ（ワイヤー）を繋いだりして好適に利用することができる。また、被締結部を頂点の内側に配置する場合には、この被締結部を利用して、居住空間内に照明器具を取り付けたり、収納棚を取り付けたりすることができる。
【００３３】
請求項６に係る発明よれば、屋根部を構成する二等辺三角形の板部材のうちの少なくとも１個が壁部を構成する二等辺三角形の板部材と相似でかつ辺が長い二等辺三角形を呈し、辺が長い二等辺三角形の板部材が壁部の外側方向に張り出して軒を形成している。このように軒を形成することにより、屋根部と壁部との境界から居住空間へ雨が浸入することを防止することができる。これにより、屋根部と壁部との間に換気用の隙間や採光窓を設けることが可能となる。また、仮設住宅の出入口に軒を設ける場合には、居住者が居住空間に出入りする際に、雨が居住空間に降り込むことを防止できる。
【００３４】
請求項７に係る発明よれば、屋根部が５個の前記辺が長い二等辺三角形の板部材で構成され、屋根部が上部連結具により下方から支持されている。したがって、正五角錐に組まれた屋根部を壁部の上部の上部連結具に載せることにより、容易に仮設住宅の全周にわたる軒を形成することができる。
【００３５】
請求項８に係る発明よれば、板部材及び床板部材のうちの少なくとも床板部材が多孔性の芯材の両面に薄板を貼り合わせた熱可塑性樹脂製の板部材である。熱可塑性樹脂製の板部材は、紙製の板部材に比べて耐久性及び耐湿性に優れている。このため、居住者による繰り返し荷重が作用し、かつ地面からの湿気にさらされる床部に特に好適に利用することができる。また、多孔性の芯材の両面に薄板を貼り合わせた熱可塑性樹脂製の板部材を床板部材として用いることにより、床部に適度なクッション性を確保することが可能であり、居住者の快適性が向上する。
【００３６】
床板部材には居住者による荷重に耐えうる剛性が必要であり、床板部材の部材厚をある程度厚くする必要がある。このように厚みをもった床板部材を折り曲げ加工するためには、折り曲げ線に沿って部材厚を薄くした溝が必要となる。ここで、床板部材が熱可塑性樹脂製であることによって、熱した金属棒等を床板部材に押し付けて溶かすことにより容易にこの溝を形成することができる。
【図面の簡単な説明】
【００３７】
【図１】第１実施形態の仮設住宅の外観斜視図である。
【図２】第１実施形態の仮設住宅の床部の斜視図である。
【図３】第１実施形態の仮設住宅の屋根部及び壁部を構成する板部材の構造を説明する説明図であって、（ａ）は板部材の平面図、（ｂ）は板部材の詳細構造を説明する斜視図を示している。
【図４】第１実施形態の仮設住宅の床部を構成する二等辺三角柱状体の構造を説明する説明図であって、（ａ）は二等辺三角柱状体の斜視図、（ｂ）は二等辺三角柱状体を床板部材として展開した状態における平面図、（ｃ）は床板部材の詳細構造を説明する斜視図を示している。
【図５】第１実施形態の仮設住宅の上部連結具の平面図である。
【図６】第１実施形態の仮設住宅の下部連結具の平面図である。
【図７】第１実施形態の仮設住宅の上部連結具及び下部連結具にネジ止めされるアイボルトの斜視図である。
【図８】第１実施形態の仮設住宅の上部辺連結具の斜視図である。
【図９】第１実施形態の仮設住宅の下部辺連結具の斜視図である。
【図１０】第１実施形態の仮設住宅を構成する各板部材と各連結具とを固定する留め具の斜視図であって、（ａ）は留め具の分離状況、（ｂ）は留め具の結合状況を示している。
【図１１】第２実施形態の仮設住宅の外観斜視図である。
【図１２】図４（ｂ）に示した床板部材の変形例の平面図である。
【図１３】従来の仮設住宅の外観斜視図である。
【発明を実施するための形態】
【００３８】
以下、本発明の仮設住宅の実施形態について図面を参照しつつ詳しく説明する。
＜第１実施形態＞
図１に示すように、本実施形態の仮設住宅Ｈは、正二十面体の上部の５個の正三角形で形成された正五角錐を屋根部Ｒとし、正二十面体の中央部の１０個の正三角形で形成された筒状体を壁部Ｗとし、正二十面体の下部の正五角錐を正五角形柱状体に置き換えて床部Ｆとし、居住空間Ｓが屋根部Ｒと壁部Ｗと床部Ｆとにより囲まれたドーム状の建築物である。なお、仮設住宅Ｈを構成する各部材の目地部等には、居住空間Ｓへの雨等の浸入を防止するために図略の防水テープ（アルミテープ等）が貼り付けられている。
【００３９】
屋根部Ｒは、正三角形の５個の板部材１（詳細は後述）により正五角錐状に組まれた状態で、人力により壁部Ｗの上に乗せられる。屋根部Ｒの総重量は、大人２人で容易に持ち上げることが可能な程度の重さとされている。
【００４０】
壁部Ｗは、板部材１と同寸法の正三角形の９個の板部材２（詳細は後述）により１０面の筒状体として組まれている。すなわち、筒状体の１０面うち１面には板部材２が配置されておらず、この開口部が居住空間Ｓへの出入口Ｅとされている。出入口Ｅは、図略の扉やカーテン等で覆われている。
【００４１】
上述した屋根部Ｒ及び壁部Ｗを構成する板部材１及び２の構造は図３に示すとおりであり、図３（ａ）に示すように、板部材１及び２は、正三角形の平面形状を呈している。正三角形の３箇所の頂点には面取りが施されている。正三角形の３箇所の頂点の近傍の各頂点部１ａ、２ａ及び正三角形の３箇所の辺の各中間部には、直径３５ｍｍの厚さ方向に貫通した合計６個の連結孔ｈが形成されている。この連結孔ｈに後述する留め具９が挿入される。
【００４２】
図３（ｂ）は、板部材１及び２の詳細構造を説明するため斜視図であり、板部材１及び２の積層構造がわかるように層毎にその一部を剥がした状況を示している。図３（ｂ）に示すように、板部材１及び２は、波状に成形された芯材ｃの両面に薄板ｐを貼り合わせた厚さ１５ｍｍの３層強化段ボールにより形成されている。また、板部材１及び２の表面には、断熱シート１０が両面テープや接着剤により貼り付けられている。この断熱シート１０としては、家屋の屋根内側に敷設される断熱材、車のサンシェード、保冷バック等に多用されているアルミ断熱シートを好適に利用できる。
【００４３】
国内市販の３層強化段ボール板の最大寸法は幅１．８ｍ、長さ２．５ｍ程度であることから、板部材１及び２の正三角形の高さ（頂点と底辺との最小距離）は１．８ｍ程度、辺の長さは２．１ｍ程度とされている。したがって、板部材１及び２の面積は１．９ｍ２程度である。３層強化段ボール板の重さは２．２ｋｇ／ｍ２程度であることから、１個の板部材１及び２の重さは４ｋｇ程度である。したがって、上述した屋根部Ｒに用いられる５個の板部材１の総重量は２０ｋｇ程度であり、大人２人で容易に持ち上げることが可能な程度に軽量である。また、上述した壁部Ｗに用いられる９個の板部材２の総重量は３６ｋｇ程度である。
【００４４】
図２に示すように、床部Ｆは、正五角形柱状体の外観を呈しており、５個の二等辺三角柱状体３の底辺が正五角形柱状体の各辺をなすように組み合わせることにより形成されている。二等辺三角柱状体３の構造は図４に示すとおりである。図４（ａ）に示すように、二等辺三角柱状体３は、頂点部３ｄの頂角が７２°の二等辺三角形状を呈する床面部３ａと床面部３ａの三辺のそれぞれから鉛直下方に延びる３個の嵩上壁部３ｂ、３ｃ、３ｃとを有している。床部Ｆ上には、居住者の快適性を高めるために図略の敷物が敷設されている。
【００４５】
二等辺三角柱状体３の底辺の長さ、すなわち嵩上壁部３ｂの長さは、上述した板部材１及び２の辺の長さと等しく２．１ｍ程度とされている。二等辺三角柱状体３の等辺の長さ、すなわち嵩上壁部３ｃの長さは１．８ｍ程度とされている。また、二等辺三角柱状体３の二等辺三角形の高さ（等辺に挟まれた頂点と底辺との最小距離）は１．４５ｍ程度とされている。したがって、二等辺三角柱状体３の床面部３ａの面積は１．５ｍ２程度であり、床部Ｆの床面積は７．５ｍ２程度（４．５畳程度）である。
【００４６】
居住空間Ｓへの砂や水等の浸入を防止するために嵩上壁部３ｂ及び３ｃの高さは２０ｃｍ程度とされている。二等辺三角柱状体３の内部には、嵩上壁部３ｂ及び３ｃと同一高さの板部材による補強材３ｈが略井形に配置されており、床面部３ａが補強材３ｈに下方から支持されることにより、居住者による荷重に対して床面部３ａが沈み込まないようにされている。
【００４７】
図４（ｂ）に示すように、二等辺三角柱状体３は、平板状の床板部材３Ａとして展開することが可能であり、床板部材３Ａとして展開した状態でストックされる。床板部材３Ａの二等辺三角形の等辺に位置する２個の嵩上壁部３ｃは、嵩上壁部３ｃが底辺側（嵩上壁部３ｂ側）に延伸された重ね部３ｆを有している。床面部３ａの二等辺三角形の３箇所の頂点には面取りが施されている。また、床面部３ａの二等辺三角形の２箇所の底角部３ｅ、床面部３ａの二等辺正三角形の底辺の中間部、二等辺三角形の底辺に位置する嵩上壁部３ｂの長さ方向の両端部、二等辺三角形の等辺に位置する２個の嵩上壁部３ｃの長さ方向の中間部、及び両重ね部３ｆには、直径３５ｍｍの厚さ方向に貫通した合計９個の連結孔ｈが形成されている。この連結孔ｈに後述する留め具９が挿入される。
【００４８】
図４（ａ）に示すように、上述した重ね部３ｆを底辺に位置する嵩上壁部３ｂと重なるように折り曲げることによって、嵩上壁部３ｂの長さ方向の両端部に形成された連結孔ｈと両重ね部３ｆに形成された連結孔ｈとが重なり、重なった両連結孔ｈを貫通するように後述する留め具９が挿入されることによって、嵩上壁部３ｂと嵩上壁部３ｃとが互いに連結される。この留め具９は、本発明の嵩上壁部連結具に相当する。
【００４９】
また、図２に示すように、床部Ｆが正五角形柱状体として組み上がっている状態において、隣り合う二等辺三角柱状体３の対向する嵩上壁部３ｃの長さ方向の中間部に形成された両連結孔ｈが重なっており、重なった両連結孔ｈを貫通するように後述する留め具９が挿入されることによって、隣り合う二等辺三角柱状体３が互いに連結される。この留め具９は、本発明の二等辺三角柱状体連結具に相当する。
【００５０】
図４（ｃ）は、床板部材３Ａの詳細構造を説明するため床板部材３Ａを裏面から見た斜視図であり、床板部材３Ａの積層構造がわかるように嵩上壁部３ｂの一部を剥がした状況を示している。図４（ｃ）に示すように、床板部材３Ａは、多孔性の芯材ｃの両面に薄板ｐを貼り合わせた厚さ１０ｍｍの熱可塑性樹脂製の板部材（例えば、川上産業株式会社：商品名プラパール）により形成されている。床板部材３Ａから二等辺三角柱状体３へ折り曲げ加工するために、折り曲げ線に沿って頂角９０°のＶ字溝３ｇが形成されている。このＶ字溝３ｇは、熱した金属棒を床板部材３Ａの裏面に押し付けて熱可塑性樹を溶かすことにより形成されている。
【００５１】
上述のとおり床面部３ａの面積は１．５ｍ２程度であり、これに３個の嵩上壁部３ｂ、３ｃ、３ｃの合計面積１．１ｍ２程度（（２．１＋１．８×２）×０．２＝１．１４）を加えると、床板部材３Ａの面積は２．６ｍ２程度となる。上述した熱可塑性樹脂製の板部材の重さは２ｋｇ／ｍ２程度であることから、１個の床板部材３Ａの重さは５．２ｋｇ程度である。したがって、上述した床部Ｆに用いられる５個の床板部材３Ａの総重量は２６ｋｇ程度と軽量である。
【００５２】
以上で述べたとおり、屋根部Ｒに用いられる５個の板部材１と、壁部Ｗに用いられる９個の板部材２と、床部Ｆに用いられる５個の床板部材３Ａとを合計した重量は８２ｋｇ程度であり、完成した仮設住宅Ｈは、大人４〜５人で容易に持ち上げて移動できる程度に軽量である。
【００５３】
上述した板部材１、２及び二等辺三角柱状体３を連結するための連結具である上部連結具４、下部連結具５、上部辺連結具７及び下部辺連結具８について以下に説明する。
【００５４】
図１に示すように、屋根部Ｒ及び壁部Ｗにより形成された正二十面体の上側６箇所の頂点のそれぞれには、各頂点を構成する正三角形の５個の板部材１及び２の頂点部１ａ及び２ａを互いに連結する６個の上部連結具４（このうちの１個は図中において隠れた位置に配置されている）が配置されている。また、壁部Ｗ及び床面部３ａにより形成された５箇所の頂点のそれぞれには、各頂点を構成する正三角形の３個の板部材２の頂点部２ａ及び２個の二等辺三角柱状体３の底角部３ｅを互いに連結する５個の下部連結具５（このうちの１個は図中において隠れた位置に配置されている）が配置されている。
【００５５】
また、図１に示すように、屋根部Ｒ及び壁部Ｗを構成する正三角形の１４個の板部材１及び２の辺同士が各辺の各中間部において１８個の上部辺連結具７（このうちの７個は図中において隠れた位置に配置されている）により連結されている。また、壁部Ｗを構成する正三角形の９個の板部材２のうちの頂点部２ａが上方を向いた４個の板部材２の下方の辺と、床部Ｆを構成する５個の二等辺三角柱状体３のうちの出入口Ｅが形成される位置を除く４個の二等辺三角柱状体３の底辺とが、辺及び底辺の各中間部において４個の下部辺連結具８（このうちの２個は図中において隠れた位置に配置されている）により連結されている。
【００５６】
上部連結具４は、厚さ１ｍｍの鉄板により形成されている。図５に示すように、上部連結具４は、台形状を呈する５個の連結面４ａと五角形状を呈する１個の頂面４ｂとにより形成される正五角形錘台状を呈している。５個の連結面４ａのそれぞれには、厚さ方向に貫通した直径３５ｍｍの連結孔ｈが形成されている。また、頂面４ｂには、厚さ方向に貫通したボルト孔４ｃが形成されている。
【００５７】
正三角形の板部材１又は２の頂点部１ａ又は２ａを連結面４ａの裏面に重ねることによって、頂点部１ａ又は２ａに形成された連結孔ｈと連結面４ａに形成された連結孔ｈとが重なり、重なった両連結孔ｈを貫通するように後述する留め具９が挿入されることによって、頂点部１ａ又は２ａと連結面４ａとが互いに連結される。
【００５８】
下部連結具５は、厚さ１ｍｍの鉄板により形成されている。図６に示すように、下部連結具５は、上述した上部連結具４の連結面４ａと同一形状の台形状を呈する３個の第１連結面５ａと、この第１連結面５ａよりも上底及び下底が長い台形状を呈する１個の第２連結面５ｂと、台形状を呈する１個の頂面５ｃとにより形成される四角形錘台状を呈している。３個の第１連結面５ａのそれぞれには、厚さ方向に貫通した直径３５ｍｍの連結孔ｈが形成されている。第２連結面５ｂには、厚さ方向に貫通した直径３５ｍｍの連結孔ｈが上底及び下底の間の同一高さに２個形成されている。また、頂面５ｃには、厚さ方向に貫通した上述した上部連結具４のボルト孔４ｃと同一径のボルト孔５ｄが形成されている。
【００５９】
正三角形の板部材２の頂点部２ａを第１連結面５ａの裏面に重ねることによって、頂点部２ａに形成された連結孔ｈと第１連結面５ａに形成された連結孔ｈとが重なり、重なった両連結孔ｈを貫通するように後述する留め具９が挿入されることによって、頂点部２ａと第１連結面５ａとが互いに連結される。また、隣り合う二等辺三角柱状体３の両底角部３ｅを第２連結面５ｂの表面に重ねることによって、各底角部３ｅに形成された各連結孔ｈと第２連結面５ｂに形成された２個の連結孔ｈとが重なり、重なった両連結孔ｈを貫通するように後述する留め具９が挿入されることによって、両底角部３ｅと第２連結面５ｂとが互いに連結される。
【００６０】
上部連結具４の頂面４ｂに形成されたボルト孔４ｃ、及び下部連結具５の頂面５ｃに形成されたボルト孔５ｄには、リング状の頭部６ａ（被締結部）とネジ部６ｂ（被締結部）とを有する図７に示すアイボルト６が取り付けられている。アイボルト６は、頂面４ｂ及び５ｃの表面側からボルト孔４ｃ及び５ｄに挿入され、頂面４ｂ及び５ｃの裏面側（居住空間Ｓ側）からナット６ｃによりネジ止め固定されている。
【００６１】
図８に示すように、上部辺連結具７は、厚さ１ｍｍの長方形状を呈する鉄板をくの字状に折り曲げ加工することにより形成されている。上部辺連結具７の折り曲げ線を挟んだ両側のそれぞれには、厚さ方向に貫通した直径３５ｍｍの連結孔ｈが形成されている。上部辺連結具７の折り曲げ角度は、隣り合う正三角形の板部材１及び２の面同士がなす角度と等しく１３８．２°とされている。
【００６２】
正三角形の板部材１又は２の辺の中間部を上部辺連結具７のくの字状の凹部側の面に重ねることによって、正三角形の板部材１又は２の辺の中間部に形成された連結孔ｈと上部辺連結具７に形成された連結孔ｈとが重なり、重なった両連結孔ｈを貫通するように後述する留め具９が挿入されることによって、正三角形の板部材１又は２の辺の中間部と上部辺連結具７とが互いに連結される。
【００６３】
図９に示すように、下部辺連結具８は、厚さ１ｍｍの長方形状を呈する鉄板をくの字状に折り曲げ加工することにより形成されている。下部辺連結具８の折り曲げ線を挟んだ両側のそれぞれには、厚さ方向に貫通した直径３５ｍｍの連結孔ｈが形成されている。下部辺連結具８の折り曲げ角度は、二等辺三角柱状体３の床面部３ａと頂点部２ａが上方を向いた正三角形の板部材２の面とがなす角度と等しく１００．８°とされている。
【００６４】
頂点部２ａが上方を向いた正三角形の板部材２の辺の中間部を下部辺連結具８のくの字状の凹部側の面に重ねることによって、正三角形の板部材２の辺の中間部に形成された連結孔ｈと下部辺連結具８に形成された連結孔ｈとが重なり、重なった両連結孔ｈを貫通するように後述する留め具９が挿入されることによって、正三角形の板部材２の辺の中間部と下部辺連結具８とが互いに連結される。
【００６５】
また、下部辺連結具８のくの字状の凸部側の面を二等辺三角柱状体３の床面部３ａの底辺の中間部に載せることによって、下部辺連結具８に形成された連結孔ｈと二等辺三角柱状体３の床面部３ａの底辺の中間部に形成された連結孔ｈとが重なり、重なった両連結孔ｈを貫通するように後述する留め具９が挿入されることによって、下部辺連結具８と二等辺三角柱状体３の床面部３ａの底辺の中間部とが互いに連結される。
【００６６】
図１０（ａ）に示すように、留め具９は、挿入部材９ａ及び被挿入部材９ｂの二つの部材よりなる合成樹脂製の組み合わせ部材である（例えば、幸立化成工業株式会社：商品名Ｐジョイント）。挿入部材９ａは、円筒状を呈する胴部の下端開口を滑らかな斜面を有する凸曲面で塞いだカップ状を呈する部材である。被挿入部材９ｂは、円筒状を呈する胴部と、この胴部の上端開口の全周にわたって形成された鍔９ｃと、この胴部の下端開口に周方向に等間隔で４個配置され胴部とインテグラルヒンジによって繋がった爪９ｄとを備えている。
【００６７】
挿入部材９ａの胴部の外径は、被挿入部材９ｂの胴部の内径よりも僅かに小さく、被挿入部材９ｂの内空に挿入部材９ａを挿入することができる。図１０（ｂ）に示すように、被挿入部材９ｂの内空に挿入部材９ａを挿入することによって、４個の爪９ｄが挿入部材９ａの下端に形成された凸曲面の斜面に押されて、爪９ｄがインテグラルヒンジ部を中心に回転して、爪９ｄの先端が被挿入部材９ｂの径外方向に広がる。そして、挿入部材９ａを周方向に回転させることにより、挿入部材９ａと被挿入部材９ｂとの結合がロックされる。このように形成された被挿入部材９ｂの鍔９ｃと４個の爪９ｄとの間に、上述した各板部材と各連結具とが挟持されることによって、各板部材と各連結具とが互いに連結される。
【００６８】
このような本実施形態の仮設住宅Ｈによれば、正二十面体の上部の５個の正三角形で形成された正五角錐を屋根部Ｒとし、正二十面体の中央部の１０個の正三角形で形成された筒状体を壁部Ｗとし、正二十面体の下部の正五角錐を正五角形柱状体に置き換えて床部Ｆとし、居住空間Ｓが屋根部Ｒと壁部Ｗと床部Ｆとにより囲まれることにより構成されている。
【００６９】
このように屋根部Ｒ及び壁部Ｗにより正二十面体のうちの十五面がドーム状に構築されていることによって、屋根部Ｒ及び壁部Ｗは、上方及び側方の各方向から作用する風を受け流しやすく、本実施形態の仮設住宅Ｈは、自立性及び耐風性が高い。
【００７０】
また、本実施形態によれば、床部Ｆが５個の二等辺三角柱状体３を組み合わせて正五角形柱状体に形成されていると共に、床板部材３Ａの折り曲げ加工により形成された二等辺三角柱状体３が展開しないように二等辺三角柱状体３の３個の嵩上壁部３ｂ、３ｃ、３ｃのうちの二等辺三角形の底辺に位置する嵩上壁部３ｂと他の２個の嵩上壁部３ｃとが留め具９（嵩上壁部連結具）によってそれぞれ連結されている。
【００７１】
詳しくは、二等辺三角柱状体３の二等辺三角形の等辺に位置する２個の嵩上壁部３ｃは、この嵩上壁部３ｃが底辺側に延伸された重ね部３ｆを有し、この重ね部３ｆを底辺に位置する嵩上壁部３ｂと重なるように折り曲げて留め具９によってそれぞれ連結されている。
【００７２】
したがって、留め具９によって形状が保持された二等辺三角柱状体３を組み合わせることにより形成された正五角形柱状を呈する床部Ｆは、居住者による荷重や壁部から伝わる荷重に対して変形しにくい。
【００７３】
また、嵩上壁部３ｂ及び３ｃを重ねて連結することにより嵩上壁部３ｂ及び３ｃを強固に連結することができる。また、底辺に位置する嵩上壁部３ｂの両端付近で嵩上壁部３ｂ及び３ｃが重なると共に留め具９によってそれぞれ連結される。このため、等辺に位置する嵩上壁部３ｃには留め具９のような突部がなく、隣り合う二等辺三角柱状体３の嵩上壁部３ｃ同士を密着させることができる。
【００７４】
このように、本実施形態の仮設住宅Ｈは、屋根部Ｒ、壁部Ｗ及び床部Ｆの全てが三角形の部材を組み合わせることにより一体的に構築されているため、屋根部Ｒ、壁部Ｗ及び床部Ｆを含めた仮設住宅Ｈ全体としての構造強度（剛性）に優れており、自立性が高いため基礎工事が不要あると共に、建設後の仮設住宅Ｈを解体することなく吊り移動することも可能である。
【００７５】
また、本実施形態によれば、屋根部Ｒ及び壁部Ｗが正三角形の板部材１及び２により構成されていると共に、床部Ｆを構成する二等辺三角柱状体３は、この正三角形の板部材１及び２の辺の長さと等しい底辺の長さを有し、かつ床板部材３Ａへの展開が可能とされている。
【００７６】
したがって、これらの板部材１、２及び床板部材３Ａの大きさ及び形状が極力等しく構成されているため、本実施形態の仮設住宅Ｈは、建設資材をストックする際の収納性に優れている。また、板部材１、２及び床板部材３Ａが軽量であるため、人力での組み立て及び解体が可能である。
【００７７】
また、本実施形態によれば、床部Ｆを構成する隣り合う二等辺三角柱状体３の対向する嵩上壁部３ｃの長さ方向の中間部に形成された両連結孔ｈが重なっており、重なった両連結孔ｈを貫通するように留め具９（二等辺三角柱状体連結具）が挿入されることによって、隣り合う二等辺三角柱状体３が互いに連結されている。したがって、５個の下部連結具５により隣り合う二等辺三角柱状体３の底角部３ｅ同士が互いに連結されているのに加えて、隣り合う二等辺三角柱状体３の対向する等辺の中間部同士も互いに連結されている。よって、本実施形態によれば、床部Ｆの正五角形の平面形状及び床部Ｆの平滑性を確実に保持することが可能となっている。
【００７８】
また、本実施形態によれば、上部連結具４及び下部連結具５の各頂面４ｂ及び５ｃにアイボルト６がリング状の頭部６ａ（被締結部）を外側に向けて取り付けられている。仮設住宅Ｈを地面に固定する際にこのリング状の頭部６ａに固定ロープを結んだり、建設後の仮設住宅Ｈを吊り移動する際にこのリング状の頭部６ａに吊りロープ（ワイヤー）を繋いだりして好適に利用することができる。また、本実施形態によれば、アイボルト６のネジ部６ｂ（被締結部）が居住空間Ｓ内に露出している。したがって、このネジ部６ｂを利用して、居住空間Ｓ内に照明器具を取り付けたり、収納棚を取り付けたりすることができる。
【００７９】
また、本実施形態によれば、床板部材３Ａは、多孔性の芯材ｃの両面に薄板ｐを貼り合わせた厚さ１０ｍｍの熱可塑性樹脂製の板部材により形成されている。熱可塑性樹脂製の板部材は、紙製の板部材に比べて耐久性及び耐湿性に優れている。このため、居住者による繰り返し荷重が作用し、かつ地面からの湿気にさらされる床部Ｆに好適に利用することができる。また、多孔性の芯材ｃの両面に薄板ｐを貼り合わせた熱可塑性樹脂製の板部材を床板部材３Ａとして用いることにより、床部Ｆに適度なクッション性を確保することが可能であり、居住者の快適性が向上する。
【００８０】
＜第２実施形態＞
図１１に示すように、本実施形態の仮設住宅Ｈ２は、第１実施形態における仮設住宅Ｈの屋根部Ｒを屋根部Ｒ２に変更すると共に、新たな二等辺三角柱状体連結具２２を追加した実施形態である。これ以外の構成部材等については、第１実施形態と同様であるため説明を省略する。
【００８１】
屋根部Ｒ２は、第１実施形態の屋根部Ｒにおいて使用された正三角形の板部材１よりも辺が長い正三角形の５個の板部材２１により正五角錐状に組まれている。屋根部Ｒ２は、壁部Ｗの上端に取り付けられた５個の上部連結具４により下方から支持されている。
【００８２】
正五角錐状を呈する屋根部Ｒ２の下端に形成される正五角形は、筒状体を呈する壁部Ｗの上端に形成される正五角形よりも大きいため、辺が長い正三角形の５個の板部材２１は、壁部Ｗの外側方向に張り出す。これにより、壁部Ｗの全周にわたって軒２１ａが形成されている。
【００８３】
板部材２１は、第１実施形態の屋根部Ｒにおいて使用された正三角形の板部材１と同一の材料によって形成されている。また、板部材２１には、第１実施形態の板部材１に形成された６個の連結孔ｈと等しい間隔で、６個の連結孔ｈが形成されている。この６個の連結孔ｈを利用して、上部連結具４及び上部辺連結具７が板部材２１の裏面側に連結されている。
【００８４】
本実施形態の仮設住宅Ｈ２の居住空間Ｓは、第１実施形態の仮設住宅Ｈの居住空間Ｓと略同一の立体形状を呈しているため、仮設住宅Ｈ２及び仮設住宅Ｈの構造強度（剛性）はほぼ等しい。そして、板部材２１の軒２１ａは、仮設住宅Ｈ２の構造強度に関与しない部位であるため、正三角形の板部材２１の軒２１ａに相当する部位（台形）と他の部位（正三角形）とを別体に形成した後、正三角形の板部材２１として一体化することもできる。また、板部材２１の軒２１ａに相当する部位（台形）を他の部位（正三角形）と異なる材質の板部材により形成することも可能である。
【００８５】
二等辺三角柱状体連結具２２は、床部Ｆを構成する５個の二等辺三角柱状体３の底辺に位置する隣り合う嵩上壁部３ｂの端部同士を連結する連結具である。二等辺三角柱状体連結具２２は、第１実施形態で述べた下辺連結具７及び下辺連結具８と同様に、厚さ１ｍｍの長方形状を呈する鉄板をくの字状に折り曲げ加工することにより形成されている。二等辺三角柱状体連結具２２の折り曲げ線を挟んだ両側のそれぞれには、厚さ方向に貫通した直径３５ｍｍの連結孔ｈが形成されている。二等辺三角柱状体連結具２２の折り曲げ角度は、正五角形の内角である１０８°とされている。
【００８６】
二等辺三角柱状体３の底辺に位置する隣り合う嵩上壁部３ｂの端部同士をまたぐように、各嵩上壁部３ｂの面に二等辺三角柱状体連結具２２のくの字状の凹部側の面を重ねる。このとき、二等辺三角柱状体連結具２２に形成された連結孔ｈと、嵩上壁部３ｂに形成された連結孔ｈと、図４に示した重ね部３ｆに形成された連結孔ｈとが重なり、重なった３個の連結孔ｈを貫通するように留め具９が挿入されることによって、二等辺三角柱状体３の底辺に位置する隣り合う嵩上壁部３ｂの端部同士が二等辺三角柱状体連結具２２によって連結される。
【００８７】
このような本実施形態の仮設住宅Ｈ２によれば、屋根部Ｒ２を構成する正三角形の５個の板部材２１が壁部Ｗを構成する正三角形の板部材２よりも辺が長い正三角形を呈しており、５個の板部材２１が壁部Ｗの外側方向に張り出して壁部Ｗの全周にわたって軒２１ａが形成されている。
【００８８】
このように軒２１ａを形成することにより、屋根部Ｒ２と壁部Ｗとの境界から居住空間Ｓへ雨が浸入することを防止することができる。これにより、屋根部Ｒ２と壁部Ｗとの間に換気用の隙間や採光窓を設けることが可能となる。また、仮設住宅Ｈ２の出入口Ｅに軒２１ａが設けられているため、居住者が居住空間Ｓに出入りする際に、雨が居住空間Ｓに降り込むことを防止できる。
【００８９】
また、本実施形態によれば、屋根部Ｒ２は、壁部Ｗの上端に取り付けられた５個の上部連結具４により下方から支持されている。したがって、正五角錐に組まれた屋根部Ｒ２を壁部Ｗの上部の上部連結具４に載せることにより、容易に仮設住宅Ｈ２の全周にわたる軒２１ａを形成することができる。
【００９０】
また、本実施形態によれば、隣り合う二等辺三角柱状体３の底角部３ｅ同士が５個の下部連結具５により互いに連結されていることと、隣り合う二等辺三角柱状体３の対向する等辺の中間部同士が留め具９により互いに連結されていることに加えて、隣り合う二等辺三角柱状体３の底辺に位置する嵩上壁部３ｂの端部同士を連結する５個の二等辺三角柱状体連結具２２を備えている。よって、本実施形態によれば、第１実施形態よりも、床部Ｆの正五角形の平面形状及び床部Ｆの平滑性を更に確実に保持することが可能となっている。
【００９１】
本実施形態における他の効果については、第１実施形態と同様であるため説明を省略する。
【００９２】
＜その他の実施形態＞
本発明の仮設住宅は、上述した実施形態に限定されるものではなく、本発明の要旨を逸脱しない範囲において、当業者が行い得る変更、改良等を施した種々の形態にて実施することができることは言うまでもない。
【００９３】
例えば、第１及び第２実施形態においては、屋根部Ｒに正三角形の５個の板部材１、屋根部Ｒ２に正三角形の５個の板部材２１、壁部Ｗに正三角形の９個の板部材２を配置しているが、第１及び第２実施形態において示した居住空間Ｓと略同一の居住空間を構築できる限り、板部材１、板部材２１及び板部材２の個数は限定されない。例えば、これらの板部材の個数を減らして、居住空間Ｓと連通した開口部を増やすことが可能である。また、これらの板部材の一部を正三角形とは異なる形状の板部材等に置き換えることも可能である。
【００９４】
また、第１及び第２実施形態においては、正二十面体の上部の５個の正三角形で形成された正五角錐を屋根部Ｒ及びＲ２とし、正二十面体の中央部の１０個の正三角形で形成された筒状体を壁部Ｗとしているが、この正二十面体を同一寸法の二等辺三角形の面で構成される二十面体に変更することもできる。この場合、屋根部及び壁部は二等辺三角形の板部材で構成され、床部を構成する二等辺三角柱状体の底辺の長さは、壁部を構成する二等辺三角形の板部材の底辺の長さと等しくなる。また、図５、６、８及び９に示した各連結具（上部連結具４、下部連結具５、上部辺連結具７及び下部辺連結具８）を構成する面同士がなす角度も変更される。
【００９５】
また、第１及び第２実施形態においては、床板部材３Ａの折り曲げ加工を行うために、床板部材３Ａの裏面に折り曲げ線に沿ってＶ字溝３ｇを形成しているが、折り曲げ線に沿って形成される溝はＶ字溝３ｇに限定されない。例えば、図１２に示すように、床板部材３Ａの表面側から折り曲げ線に沿った切断溝３ｉを形成しても良い。切断溝３ｉは、図４（ｃ）に示した床板部材３Ａの裏面の薄板ｐを残して、床板部材３Ａの表面の薄板ｐ及び内部の芯材ｃをカッター等により切断した線状の溝である。この切断溝３ｉは、床面部３ａの三辺の折り曲げ部、及び重ね部３ｆの折り曲げ部に形成される。
【００９６】
図１２に示すように、各重ね部３ｆの折り曲げ部に各２本の切断溝３ｉを形成して、重ね部３ｆの折り曲げ回数を２回にすれば、二等辺三角柱状体３の底角部３ｅの面取りに沿った嵩上壁部を形成することができる。ここで、底角部３ｅの面取りの長さを、図６に示した下部連結具５の台形状を呈する頂面５ｃの下底の長さの１／２の長さとすることにより、正五角形柱状体として組み上がった床部Ｆの正五角形の頂点に下部連結具５の頂面５ｃの下底の長さと同じ長さの面取りが形成される。これにより、床部Ｆの正五角形の頂点が下部連結具５の頂面５ｃから外側方向にはみ出すことがなくなるため、仮設住宅の意匠性を向上させることができる。
【００９７】
また、第１及び第２実施形態においては、板部材１、２及び２１を３層強化ダンボール、床板部材３Ａを多孔性の芯材ｃの両面に薄板ｐを貼り合わせた熱可塑性樹脂製の板部材により形成しているが、板部材１、２、２１及び床板部材３Ａを形成するための板部材はこれに限定されない。板部材１、２、２１及び床板部材３Ａを形成するための板部材としては、多数の隔壁によって面方向を区画された芯材の片面又は両面に薄板を貼り合わせた各種板部材を利用することが可能であり、例えば、２層強化段ボール、樹脂ハニカム板、アルミハニカム板などを利用することが可能である。
【００９８】
また、第１及び第２実施形態においては、板部材１、２及び２１の表面に断熱シート１０が予め両面テープや接着剤により貼り付けられている。しかし、屋根部及び壁部の組み立て完了後に後施行で断熱シートを貼り付けても良い。壁部に後施行で断熱シートを貼り付ける際には、壁部の全面を１枚の帯状の断熱シートで巻くことが可能である。また、板部材１、２及び２１の表面に鉛シートを貼り付けることにより、仮設住宅を放射能に対する簡易なシェルターとして活用することもできる。
【００９９】
また、第１及び第２実施形態においては、１棟の仮設住宅Ｈ及びＨ２を構築する例を示したが、複数棟の仮設住宅の居住空間同士をつなげて居住性を向上させることもできる。
【符号の説明】
【０１００】
１    …  板部材                    １ａ  …  頂点部（頂角部、底角部）
２    …  板部材                    ２ａ  …  頂点部（頂角部、底角部）
３    …  二等辺三角柱状体          ３Ａ  …  床板部材
３ａ  …  床面部                    ３ｂ  …  嵩上壁部
３ｃ  …  嵩上壁部                  ３ｅ  …  底角部
３ｆ  …  重ね部                    ４    …  上部連結具
５    …  下部連結具                ６    …  アイボルト
６ａ  …  頭部（被締結部）          ６ｂ  …  ネジ部（被締結部）
９    …  留め具（嵩上壁部連結具、二等辺三角柱状体連結具）
２１  …  板部材                    ２１ａ…  軒
２２  …  二等辺三角柱状体連結具
Ｆ    …  床部                      Ｈ    …  仮設住宅
Ｈ２  …  仮設住宅                  Ｒ    …  屋根部
Ｒ２  …  屋根部                    Ｓ    …  居住空間
Ｗ    …  壁部                      ｃ    …  芯材
ｐ    …  薄板
【図１】
2012224992.tif 000003
【図２】
2012224992.tif 000004
【図３】
2012224992.tif 000005
【図４】
2012224992.tif 000006
【図５】
2012224992.tif 000007
【図６】
2012224992.tif 000008
【図７】
2012224992.tif 000009
【図８】
2012224992.tif 000010
【図９】
2012224992.tif 000011
【図１０】
2012224992.tif 000012
【図１１】
2012224992.tif 000013
【図１２】
2012224992.tif 000014
【図１３】
2012224992.tif 000015